(57)【特許請求の範囲】
【請求項１】
計量機を設置したアイランドを複数設け、各アイランドに給油エリアに向けて消火ノズルを設け、消火ノズルに接続された配管を消火器室まで配設し、配管を分岐管弁及び主管弁を介して消火液ボンベに接続し、消火液ボンベを主管弁を介して窒素ボンベに接続し、主管弁及び分岐管弁の作動スイッチを事務所内に設け、前記主管弁及び分岐管弁は電力で開閉され、前記消火器室は隙間を介して下部室と上部室に区画して上部室は６０センチメートル以上の高さに位置され、下部室に消火液ボンベ及び窒素ボンベが設けられ、上部室に主管弁及び分岐管弁が設けられていることを特徴とした給油所用の消火装置。
【発明の詳細な説明】
【０００１】
【発明の属する技術分野】
本発明は、車へ燃料油を供給する給油所に設置される消火装置に関するものである。
【０００２】
【従来の技術】
給油所用の消火装置は、本出願人が特願平９ー３０７８７６号として提案している。この消火装置は、計量機を設置したアイランドに給油エリアに向けて消火ノズルを設け、消火ノズルを分岐管弁を介して消火液ボンベに接続し、分岐管弁の作動スイッチを事務所内に設けている。この分岐管弁はアイランドに設けられ、消火液ボンベと消火ノズルを接続した配管内には常に高圧の消火液が入っているので、耐圧配管で施工する必要があり工事費が嵩み、、また長い年月が経つと配管内にスラッジが溜まり、分岐管弁を開いてもスムーズに消火液が噴出されず、消火に不都合を来すことがある。さらに、事務所内に設けられた作動スイッチからアイランドに設けられた分岐管弁まで信号線が配設されているので、給油エリアの火災で信号線が焼失し、分岐管弁へ作動信号が送れないことがある。
【０００３】
【発明が解決しようとする課題】
本発明の目的は前記従来例の不都合を解消し、通常の配管で施工できて工事費が安く、長い年月が経っても配管内にスラッジが溜まることがなく、給油エリアでの火災で信号線が焼失することがなく、何時でも正常に作動できる給油所用の消火装置を提供することにある。
【０００４】
【課題を解決するための手段】
前記目的を達成するため本発明の給油所用の消火装置は、計量機を設置したアイランドを複数設け、各アイランドに給油エリアに向けて消火ノズルを設け、消火ノズルに接続された配管を消火器室まで配設し、配管を分岐管弁及び主管弁を介して消火液ボンベに接続し、消火液ボンベを主管弁を介して窒素ボンベに接続し、主管弁及び分岐管弁の作動スイッチを事務所内に設け、前記主管弁及び分岐管弁は電力で開閉され、前記消火器室は隙間を介して下部室と上部室に区画して上部室は６０センチメートル以上の高さに位置され、下部室に消火液ボンベ及び窒素ボンベが設けられ、上部室に主管弁及び分岐管弁が設けられていることを要旨とするものである。
【０００５】
本発明によれば、通常時には配管内に消火液が入っていないので、通常の配管で施工できて工事費が安く、長い年月が経っても配管内にスラッジが溜まることがない。また、給油エリアには信号線が配設していないので、給油エリアの火災で信号線が焼失することがなく、何時でも正常に消火装置を作動することができる。
【０００６】
そして、前記主管弁及び分岐管弁は電力で開閉され、前記消火器室は隙間を介して下部室と上部室に区画され、下部室に消火液ボンベ及び窒素ボンベが設けられ、上部室に主管弁及び分岐管弁が設けられている。このように上部室は隙間を有して下部室上に設けられているので、比重の重い燃料油のベーパが上部室に入ることがなく、高価な防爆構造のものでなく、安価な通常の主管弁及び分岐管弁を使用することができる。
【０００７】
【発明の実施の形態】
以下、本発明の実施の形態を説明する。図１、２に示すように、給油所１の敷地には前後面に給油エリア２ａ、２ｂ・・・（以下符号２で説明する）が形成された複数のアイランド３が設けられ、アイランド３上にはそれぞれ計量機４が設けられている。そして、アイランド３には各給油エリア２に向けて、それぞれ２個づつの消火ノズル５ａ、５ｂ・・・（以下符号５で説明する）が設けられ、各給油エリア２の消火を受け持つようになっている。
【０００８】
一方、敷地の片隅には消火器室６が設けられ、この消火器室６内には窒素ボンベ７、主管弁８、消火液ボンベ９、主管弁１０、分岐管弁１１ａ、１１ｂ・・・（以下符号１１で説明する）、弁制御装置１２等が収納されている。この弁制御装置１２は、後述するセルフコンソールから弁開閉信号を受けて、主管弁８、１０及び分岐管弁１１を開閉制御する。そして、各分岐管弁１１に接続された配管１３ａ、１３ｂ・・・（以下符号１３で説明する）が各給油エリア２を受け持つ消火ノズル５に接続されている。
【０００９】
また、事務所１４内には計量機４を制御するセルフコンソール１５が設けられ、このセルフコンソール１５には作動スイッチ１６ａ、１６ｂ・・・（以下符号１６で説明する）が設けられている。そして、セルフコンソール１５は作動スイッチ１６の押し圧信号を受けて、弁制御装置１２へ弁開閉信号を出力し、計量機４へ給油停止信号を出力するようになっている。また、セルフコンソール１５と弁制御装置１２及び計量機４は信号線１７で接続され、シリアル通信で信号が伝わるようになっている。
【００１０】
消火器室６は下部室６ａと、下部室６ａに隙間６ｂを介して連接された上部室６ｃに区画され、上部室６ｃは６０センチメートル以上の高さに位置するようになっている。このようにして、比重が重い燃料油のベーパが上部室６ｃに入ることがなく、上部室６ｃは非防爆の電気機器が使用できるようになっている。そして、下部室６ａには約１８ｋｇ／ｃｍの高圧窒素を入れた窒素ボンベ７と消火液を入れた消火液ボンベ９が設けられ、上部室６ｃには主管弁８、１０、分岐管弁１１、及び弁制御装置１２が設けられている。
【００１１】
窒素ボンベ７と消火液ボンベ９を接続する配管１８には主管弁８が介装され、消火液ボンベ９に接続された配管１９は主管弁１０を介して各分岐管弁１１に接続され、各分岐管弁１１は配管１３に接続されている。なお、主管弁８、１０、及び各分岐管弁１１は電力で開閉される弁、例えば電動モータ弁又は電磁弁が使用されている。
【００１２】
次に動作を説明する。顧客は車を計量機４の前の給油エリア２に停車して給油をし、給油が終わったならば事務所１４へ精算に行く。一方、事務所１４では給油管理者が給油所１の安全を監視し、セルフコンソール１５で計量機４を制御し、セルフコンソール１５の給油データに基づいて給油料金を顧客から受ける。このようにして精算を終えて、顧客は給油所１から退出する。
【００１３】
このようにして通常の給油操作が行われが、給油所１の安全を監視している給油管理者が、車の給油口から油が溢れているのを発見して火事の危険を感じたり、給油中の顧客がタバコを吸ったりして火事が発生したのを発見した場合は、この給油エリア２の作動スイッチ１６を押すと、セルフコンソール１５から弁制御装置１２へ開弁信号が伝わる。この開弁信号を受けて弁制御装置１２は、主管弁８、１０、及び該当した給油エリア２の分岐管弁１１を開く。
【００１４】
そして、窒素ボンベ７内の高圧窒素は配管１８及び主管弁８を介して消火液ボンベ９内に流入し、消火液ボンベ９内の消火液は配管１９、主管弁１０、分岐管弁１１、及び配管１３を介して消火ノズル５から噴射される。このように消火ノズル５から給油エリア２に向けて噴射される消火液により、火事の発生が未然に防止されたり、火事による大きな災害が防止される。
【００１５】
また、セルフコンソール１５から弁制御装置１２に開弁信号が出力されると同時に、計量機４へ給油停止信号が伝わり、計量機４は給油を停止する。これにより計量機４から新たな油の吐出がなくなり、火事の拡大は防止される。
【００１６】
消火液の噴射により危険が解消されたならば、再び作動スイッチ１６を押すと、セルフコンソール１５から弁制御装置１２へ閉弁信号が出力され、この閉弁信号を受けて主管弁８、１０、及び分岐管弁１１は閉じ、消火液の噴射は停止する。
【００１７】
このように消火装置を作動させた場合は、窒素ボンベ７に窒素を補充し、消火液ボンベ９に消火液を補充し、配管１３内の消火液を排出して配管１３内を空にして、次の給油に備える。
【００１８】
【発明の効果】
以上説明したように本発明の給油所用の消火装置は、計量機を設置したアイランドを複数設け、各アイランドに給油エリアに向けて消火ノズルを設け、消火ノズルに接続された配管を消火器室まで配設し、配管を分岐管弁及び主管弁を介して消火液ボンベに接続し、消火液ボンベを主管弁を介して窒素ボンベに接続し、主管弁及び分岐管弁の作動スイッチを事務所内に設けている。このように通常時には配管内に消火液が入っていないので、通常の配管で施工できて工事費が安く、長い年月が経っても配管内にスラッジが溜まることがない。また、給油エリアには信号線が配設していないので、給油エリアの火災で信号線が焼失することがなく、何時でも正常に消火装置を作動することができる。
【図面の簡単な説明】
【図１】  本発明の給油所用の消火装置を設けた給油所の平面図である。
【図２】  消火器室の部分の断面図である。
【符号の説明】
１  給油所
２  給油エリア
３  アイランド
４  計量機
５  消火ノズル
６  消火器室
６ａ  下部室
６ｂ  隙間
６ｃ  上部室
７  消火液ボンベ
８、１０  主管弁
９  窒素ボンベ
１１  分岐管弁
１２  弁制御装置
１３、１８、１９  配管
１４  事務所
１５  セルフコンソール
１６  作動スイッチ
１７  信号線
【図１】
0003948117.tif 000002
【図２】
0003948117.tif 000003